(57)【特許請求の範囲】
【請求項１】
電子機器の本体ケースの前面側でありかつ上面側の第１の角部分に取り付けられる表示部の反対側に位置するもので、複数のオプショナル機器の一つを前記電子機器の本体ケースに取り付けるために、当該本体ケースの裏面側でありかつ上面側の第２の角部分に形成した本体側取付け部と、
この本体側取付け部に着脱可能に取り付けるための取付け部カバーと、
前記取付け部カバーを取り外し、前記オプショナル機器を前記電子機器の本体ケースに取り付けるために、前記オプショナル機器に形成したオプショナル機器側取付け部とを有し、
前記オプショナル機器側取付け部は前記本体側取付け部に対して着脱可能であり、
前記本体側取付け部は、前記本体ケースの一部に形成した凹部であり、前記本体ケースに一体形成した少なくとも前記電子機器の本体ケースの背面側に形成された端面と前記端面に対する左右の側面を有し、
前記取付け部カバーおよび前記オプショナル機器側取り付け部のそれぞれは、前記凹部のそれぞれの面に対応する各面を有して、前記取付け部カバーおよび前記オプショナル機器側取り付け部と前記凹部は、互いに対応する面同士が接してはまり込む輪郭形状をしていることを特徴とする電子機器のオプショナル機器取付け構造。
【請求項２】
請求項１において、
複数の前記オプショナル機器には、表示器およびトレイが含まれていることを特徴とする電子機器のオプショナル機器取付け構造。
【請求項３】
本体ケースと、
前記本体ケースの前面側でありかつ上面側の第１の角部分に取り付けられる表示部と、
前記第１の角部分の反対側に位置するもので、前記本体ケースの裏面側でありかつ上面側の第２の角部分に形成したオプショナル機器を前記本体ケースに取り付けるためのオプショナル機器側取付け部に対応する本体側取付け部と、
前記本体側取付け部に着脱可能に取り付けた取付け部カバーと、を備え、
前記本体側取付け部は、前記本体ケースの一部に形成した凹部であり、前記本体ケースに一体形成した少なくとも前記電子機器の本体ケースの背面側に形成された端面と前記端面に対する左右の側面を有し、
前記取付け部カバーは、前記凹部のそれぞれの面に対応する各面を有して、前記取付け部カバーと前記凹部は、互いに対向する面同士が接してはまり込む輪郭形状をしていることを特徴とする電子機器。
【発明の詳細な説明】
【０００１】
【発明の属する技術分野】
本発明は、キャッシュレジスタ等のＰＯＳ用電子機器に、小型表示器や伝票載置用トレイ等のオプショナル機器を取り付ける取付け構造および電子機器に関するものである。
【０００２】
【従来の技術】
ＰＯＳ用電子機器には、顧客の希望、要望等に応じて、小型表示器等の付加機器（オプショナル機器）が接続される場合が多い。オプショナル機器を取り付ける方法としては、電子機器の本体ケースからケーブル等を引き出し、独立型のオプショナル機器を電気的に接続する方法がある。しかし、設置場所等に制約がある場合には、電子機器の本体ケースに直接にオプショナル機器が取り付けられる場合が多い。
【０００３】
この場合には、本体ケースに、取付け対象のオプショナル機器専用の取付け部を形成し、そこに、オプショナル機器側の取付け部を固定すると共に、この取付け部を介して、電子機器側とオプショナル機器側の電気的な接続も取るようにしている。
【０００４】
【発明が解決しようとする課題】
しかしながら、電子機器の本体ケースに専用の取付け部を形成してオプショナル機器を増設する方法では、電子機器の出荷段階において考慮されていなかったオプショナル機器を、出荷後に本体ケースに取り付けることは困難であり、場合によっては不可能である。特に、防水、防塵が必要な環境下で使用される電子機器の場合には、本体ケースとしてシームレスの密閉形のものが使用されている場合があり、この場合に、本体ケースに、オプショナル機器の取付け部を後付けすることは不可能である。
【０００５】
このように、従来のオプショナル機器の取付け構造では、電子機器の本体ケースに対して、各種のオプショナル機器を簡単に取り付けることができなかった。
【０００６】
本発明の課題は、この点に鑑みて、電子機器の本体ケースに変更を加えることなく、各種のオプショナル機器を電子機器の本体ケースに簡単に取付けることのできる電子機器のオプショナル機器取付け構造を提案することにある。
【０００７】
【課題を解決するための手段】
上記の課題を解決するために、本発明の電子機器のオプショナル機器取付け構造は、電子機器の本体ケースの前面側でありかつ上面側の第１の角部分に取り付けられる表示部の反対側に位置するもので、複数のオプショナル機器の一つを前記電子機器の本体ケースに取り付けるために、当該本体ケースの裏面側でありかつ上面側の第２の角部分に形成した本体側取付け部と、この本体側取付け部に着脱可能に取り付けるための取付け部カバーと、前記取付け部カバーを取り外し、前記オプショナル機器を前記電子機器の本体ケースに取り付けるために、前記オプショナル機器に形成したオプショナル機器側取付け部とを有し、前記オプショナル機器側取付け部は前記本体側取付け部に対して着脱可能であり、前記本体側取付け部は、前記本体ケースの一部に形成した凹部であり、前記本体ケースに一体形成した少なくとも前記電子機器の本体ケースの背面側に形成された端面と前記端面に対する左右の側面を有し、前記取付け部カバーおよび前記オプショナル機器側取り付け部のそれぞれは、前記凹部のそれぞれの面に対応する各面を有して、前記取付け部カバーおよび前記オプショナル機器側取り付け部と前記凹部は、互いに対応する面同士が接してはまり込む輪郭形状をしていることを特徴としている。
【０００８】
このように、本発明では、各種のオプショナル機器に形成されているオプショナル機器側取付け部が、本体ケースに形成されている本体側取付け部に対して取付け可能となっている。従って、オプショナル機器側取付け部の共通化が図られているので、本体ケースに何ら変更を加えることなく、各種のオプショナル機器を取り付けることができる。また、オプショナル機器の増設を必要としない場合には、本体側取付け部に取付け部カバーを取り付けておけば、当該部分が覆われるので見た目も良い。
【０００９】
本体ケースに形成した本体側取付け部は、前記本体ケースの一部に形成した凹部とすることができる。この場合には、前記取付け部カバーおよび前記オプショナル機器側取り付け部のそれぞれを、前記凹部にはまり込む輪郭形状を備えたものとすれば、本体側取付け部と、ここに取り付けたオプショナル機器側取付け部との間に隙間ができないので好ましい。
【００１０】
なお、オプショナル機器としては、表示器、伝票を載せるためのトレイ等を挙げることができる。
また、本発明の電子機器は、
本体ケースと、
前記本体ケースの前面側でありかつ上面側の第１の角部分に取り付けられる表示部と、
前記第１の角部分の反対側に位置するもので、前記本体ケースの裏面側でありかつ上面側の第２の角部分に形成したオプショナル機器を前記本体ケースに取り付けるためのオプショナル機器側取付け部に対応する本体側取付け部と、
前記本体側取付け部に着脱可能に取り付けた取付け部カバーと、を備え、
前記本体側取付け部は、前記本体ケースの一部に形成した凹部であり、前記本体ケースに一体形成した少なくとも前記電子機器の本体ケースの背面側に形成された端面と前記端面に対する左右の側面を有し、
前記取付け部カバーは、前記凹部のそれぞれの面に対応する各面を有して、前記取付け部カバーと前記凹部は、互いに対向する面同士が接してはまり込む輪郭形状をしていることを特徴とする。
【００１１】
【発明の実施の形態】
以下に、図面を参照して、本発明を適用したＰＯＳ用電子機器のオプショナル機器取付け構造の例を説明する。
【００１２】
図１（ａ）はＰＯＳ用電子機器を示す外観斜視図であり、図１（ｂ）はその本体側取付け部を示す外観斜視図であり、図１（ｃ）はオプショナル機器として小型表示器を取り付けた状態を示す外観斜視図である。これらの図に示すように、本例のＰＯＳ用電子機器１は、横置きされた直方体形状の本体ケース２と、この本体ケース２の前面２ａおよび上面２ｂの角部分に取り付けられているタッチパネル式の液晶表示盤３とを有している。本体ケース２の裏面２ｃと上面２ｂの角部分には、当該本体ケース２にオプショナル機器を取り付けるための本体側取付け部４が形成され、この本体側取付け部４が取付け部カバー５によって封鎖されている。
【００１３】
図１（ｂ）に示すように、本体側取付け部４は、本体ケース２の裏面２ｃと上面２ｂの角部分の中央をＬ形に切り欠くことにより形成された凹部であり、本体ケース側に一体形成された端面４１、左右の側面４２、４３および底面４４とによって規定されている。底面４４の左右の隅にはそれぞれ位置決め用のボス４５、４６が形成されている。また、これらのボス４５、４６の間には、オプショナル機器との間で電気的な接続を取るための差し込みプラグ用の開口４７が露出している。
【００１４】
この構成の本体側取付け部４に着脱可能な状態で取り付けられている取付け部カバー５は、この本体側取付け部４に隙間無く嵌まり込む輪郭形状をしており、端面４１に接する平坦な前面５１と、左右の側面４２、４３に接する側面５２、５３と、底面４４に接する底面５４を備えている。さらに、この取付け部カバー５の裏面５８、および上面５９は、取り付けた状態において、それぞれ本体ケース２の裏面２ｃおよび上面２ｂに連続した面を形成できるような形状に設定されている。これに加えて、底面５４の左右の隅には、上記のボス４５、４６が嵌まり込むボス孔５５、５６が形成されている。
【００１５】
従って、取付け部カバー５を本体側取付け部４に上側から差し込むことにより、当該本体側取付け部４に取り付けた状態においては、本体ケース２の裏面２ｃおよび上面２ｂには滑らかな面が形成され、また、実質的に隙間が形成されない。
【００１６】
ここで、図１（ｃ）に示すように、ＰＯＳ用電子機器１に取付けられるオプショナル機器として小型液晶表示器１０がある。この小型液晶表示器１０は、表示体本体１１と、この表示体本体１１の底面から下方に延びる支柱１２と、この支柱１２の下端部分に取り付けられたオプショナル機器側取付け部１３とを備えている。
【００１７】
オプショナル機器側取付け部１３は、基本的な形状は上記の取付け部カバー５と同一であり、本体側取付け部４の端面４１に接する前面１３１と、端面４１、４２に接する側面１３２、１３３と、底面４４に接する底面１３４を備えている。また、この底面１３４の左右の隅にはボス孔１３５、１３６が形成されている。
【００１８】
異なる点は、底面１３４の中央に、本体側取付け部底面４４に形成されている差し込みプラグ用開口４７に差し込み可能な差し込みプラグ１３７が露出している点と、裏面１３８および上面１３９の形状が相違している点である。
【００１９】
この構成の小型液晶表示器１０をＰＯＳ用電子機器１の本体ケース２に取付けるには、取付け部カバー５を取り外し、代りに、小型液晶表示器１０の取付け部１３を本体側取付け部４に差し込み固定すればよい。取り付けた状態では、取付け部１３と本体側取付け部４の間には隙間ができず、また、電気的接続も取られた状態になる。
【００２０】
ここで、本例では、その他のオプショナル機器も同様なオプショナル機器側取付け部を備えている。例えば、図２（ａ）および（ｂ）には、オプショナル機器としてのトレイを示してある。図２（ａ）に示すトレイ２０もその背面中央にオプショナル機器側取付け部２３が取付けられている。このオプショナル機器取付け部２３は上記の本体側取付け部５と同様な形状、構造をしている。同様に、図２（ｂ）に示すトレイ３０もその裏面にオプショナル機器取付け部３３が取付けられており、この取付け部３３も本体側取付け部５と同様な形状、構造をしている。
【００２１】
このように、本例の電子機器のオプショナル機器取付け構造では、本体ケース２に本体側取付け部４を形成しておき、この本体側取付け部４に取付け可能なオプショナル機器側取付け部１３、２３、３３を、オプショナル機器（１０、２０、３０）に取り付けてある。従って、取り付け部カバー５を取り外して、これらのオプショナル機器側取り付け部を本体側取り付け部に取り付けるという簡単な操作により、希望するオプショナル機器を電子機器１に増設できる。新たなオプショナル機器を取り付けたい場合には、当該機器に本体側取り付け部４に取り付け可能なオプショナル機器側取り付け部を取り付ければよいので、本体ケース２の側を何ら変更する必要がない。
【００２２】
なお、上記の本体側取り付け部、取り付け部カバーおよびオプショナル機器側取り付け部は本発明の一例を示すものであり、これらの構造に本発明が限定されるものではない。各取り付け部としては各種の形状、構造のものを採用できる。
【００２３】
【発明の効果】
以上説明したように、本発明の電子機器のオプショナル機器取り付け構造では、電子機器の本体ケースに本体側取り付け部を形成し、通常は取り付け部カバーによって当該本体側取り付け部を封鎖しておき、オプショナル機器を増設する場合いは、当該本体側取り付け部に取り付け可能なオプショナル機器側取り付け部をオプショナル機器に取り付け、当該オプショナル機器側取り付け部を取り付け部カバーの代りに本体側取り付け部に取り付けるようになっている。
【００２４】
従って、本発明によれば、取り付け部カバーと互換性のあるオプショナル機器側取り付け部をオプショナル機器に形成しておくことにより、任意のオプショナル機器を、本体ケースに変更を加えることなく増設できる。
【図面の簡単な説明】
【図１】（ａ）は本発明を適用したＰＯＳ用電子機器を示す外観斜視図であり、（ｂ）はその本体側取付け部を示す外観斜視図であり、（ｃ）はオプショナル機器として小型表示器を取り付けた状態を示す外観斜視図である。
【図２】図１の電子機器に、本発明を適用したオプショナル機器が取り付けられた状態を示す外観斜視図である。
【符号の説明】
１    ＰＯＳ用電子機器
２    電子機器の本体ケース
３    表示盤
４    本体側取り付け部
４１  端面
４２、４３  側面
４４  底面
４５、４６  ボス
４７  差し込みプラグ用開口
５    取り付け部カバー
５１  前面
５２、５３  側面
５４  底面
５５、５６  ボス孔
５８  裏面
５９  上面
１０、２０、３０  オプショナル機器
１３、２３、３３  オプショナル機器側取り付け部
１３１  前面
１３２、１３３  側面
１３４  底面
１３５、１３６  ボス孔
１３７  差し込み用プラグ
【図１】
0004433565.tif 000002
【図２】
0004433565.tif 000003